(57)【要約】【課題】生産性を低下させず、且つコストが増大することなく、複数の印刷媒体に対応するプロファイル情報の中から特定のものを選択することができる画像形成装置を提供する。【解決手段】記憶部１３には印刷媒体に対応するプロファイル情報と、印刷媒体の属性情報とを含む媒体情報が記憶される。メディア検知センサー３２は、印刷媒体の属性実情報を検知する。制御部１１は、印刷媒体に画像を形成する場合、メディア検知センサー３２により検知される印刷媒体の属性実情報と、記憶部１３に記憶される印刷媒体の属性情報と、に基づき、記憶部１１に記憶される媒体情報の中から該当する印刷媒体に対応するプロファイル情報を選択する。媒体情報は、印刷媒体に対応するプロファイル情報と、印刷媒体の属性情報とが関連付けされている。【選択図】図２
2019055554.tif 000002
【特許請求の範囲】
【請求項１】
印刷媒体に画像を形成する画像形成装置であって、
前記印刷媒体に対応するプロファイル情報と、前記印刷媒体の属性情報とを含む媒体情報が記憶される記憶部と、
前記印刷媒体の属性実情報を検知するメディア検知センサーと、
を備え、
前記媒体情報は、
前記印刷媒体に対応するプロファイル情報と、前記印刷媒体の属性情報とが関連付けされ、前記印刷媒体の属性情報には、前記メディア検知センサーにより検知可能な情報が含まれる、
画像形成装置。
【請求項２】
前記印刷媒体に画像を形成する場合、前記メディア検知センサーにより検知される前記印刷媒体の属性実情報と、前記記憶部に記憶される前記印刷媒体の属性情報と、に基づき、前記記憶部に記憶される前記媒体情報の中から該当する前記印刷媒体に対応するプロファイル情報を選択する制御部、
をさらに備える、
請求項１に記載の画像形成装置。
【請求項３】
前記印刷媒体の属性情報は、
少なくとも１つの検知項目情報、
を含み、
前記印刷媒体の属性実情報は、
少なくとも１つの検知項目実情報、
を含み、
前記制御部は、
前記印刷媒体の属性実情報に含まれる前記検知項目実情報と一致する前記検知項目情報を含む前記印刷媒体の属性情報が存在する場合、該印刷媒体の属性情報を含む前記媒体情報を選択する、
請求項２に記載の画像形成装置。
【請求項４】
前記印刷媒体の属性情報は、
少なくとも１つの検知項目情報、
を含み、
前記印刷媒体の属性実情報は、
少なくとも１つの検知項目実情報、
を含み、
前記制御部は、
前記印刷媒体の属性実情報に含まれる前記検知項目実情報と一致する前記検知項目情報を含む前記印刷媒体の属性情報が存在しない場合、前記印刷媒体の属性実情報を前記印刷媒体の属性情報とした新たな前記媒体情報を前記記憶部に記憶させる、
請求項２に記載の画像形成装置。
【請求項５】
前記制御部は、
選択したプロファイル情報をユーザーに提示し確認させ、
選択したプロファイル情報に対応する前記印刷媒体が、ユーザーが使用したいものでない場合、前記印刷媒体の属性実情報を前記印刷媒体の属性情報とした新たな前記媒体情報を前記記憶部に記憶させる、
請求項３に記載の画像形成装置。
【請求項６】
前記制御部は、
前記印刷媒体の属性実情報に含まれる前記検知項目実情報と一致する前記検知項目情報を含む前記印刷媒体の属性情報が複数存在する場合、前記記憶部に最も新しく記憶された前記印刷媒体の属性情報を含む前記媒体情報を選択する、
請求項３に記載の画像形成装置。
【請求項７】
ユーザー設定情報が設定され、
前記制御部は、
前記印刷媒体の属性実情報に含まれる前記検知項目実情報と一致する前記検知項目情報を含む前記印刷媒体の属性情報が存在するか否かを判定する際、前記印刷媒体の属性実情報に含まれる複数の検知項目実情報のうち、少なくとも１つの検知項目実情報を前記ユーザー設定情報に従い選択し、選択した前記検知項目実情報と一致する前記検知項目情報を含む前記印刷媒体の属性情報が存在するか否かを判定する、
請求項５又は６に記載の画像形成装置。
【請求項８】
前記制御部は、
前記印刷媒体の属性実情報を前記印刷媒体の属性情報とした新たな前記媒体情報を前記記憶部に記憶させる場合、前記ユーザー設定情報に従い選択された前記少なくとも１つの検知項目実情報と、前記印刷媒体に対応するプロファイル情報とを関連付けさせる、
請求項７に記載の画像形成装置。
【請求項９】
前記検知項目実情報を選択するための優先順位の指標として優先度情報が設定され、
前記制御部は、
前記印刷媒体の属性実情報に含まれる前記検知項目実情報と一致する前記検知項目情報を含む前記印刷媒体の属性情報が存在するか否かを判定する際、前記優先度情報に従い、前記検知項目実情報を選択する、
請求項７又は８に記載の画像形成装置。
【請求項１０】
前記印刷媒体の属性実情報に含まれる前記検知項目実情報と一致する前記検知項目情報を含む前記印刷媒体の属性情報が存在するか否かを判定するための許容範囲の指標として判定基準情報が設定され、
前記制御部は、
前記印刷媒体の属性情報に含まれる前記検知項目実情報と一致する前記検知項目情報を含む前記印刷媒体の属性情報が存在するか否かを判定する際、前記検知項目情報と、前記検知項目実情報との差が、前記判定基準情報を満たすか否かを判定する、
請求項７〜９の何れか一項に記載の画像形成装置。
【請求項１１】
前記制御部は、
前記印刷媒体に対応するプロファイル情報の自動検知が有効である場合、前記検知項目情報と、前記検知項目実情報とが一致するか否かを判定する、
請求項３〜１０の何れか一項に記載の画像形成装置。
【請求項１２】
前記印刷媒体に対応するプロファイル情報は、前記印刷媒体に画像を形成するための設定情報を含む、
請求項１〜１１の何れか一項に記載の画像形成装置。
【請求項１３】
前記印刷媒体に対応するプロファイル情報は、前記印刷媒体の仕様及びプロセス条件を含む、
請求項１〜１２の何れか一項に記載の画像形成装置。
【発明の詳細な説明】
【技術分野】
【０００１】
本開示は、画像形成装置に関する。
【背景技術】
【０００２】
従来、複写機又はプリンター等のような画像形成装置の中には、ジョブごとにそのつど設定される画像形成条件又は出力形態に応じて高品質の画像を印刷媒体に形成するものがある。各種の印刷媒体に高品質の画像を形成するためには印刷媒体に対応するプロファイル情報として印刷媒体の種類、印刷媒体のサイズ、又はプロセス調整等を細かく設定する必要がある。そこで、各種印刷媒体に応じて印刷媒体のプロファイル情報を画像形成装置に予め登録し、ジョブごとにそのつど細かく設定することなく、操作表示部を介して、又はメディア検知センサーの検知結果に基づき、登録された印刷媒体のプロファイル情報の中から該当するものを決定し、印刷媒体に高品質の画像を形成するものがある（例えば、特許文献１，２参照）。
【先行技術文献】
【特許文献】
【０００３】
【特許文献１】特開２０１６−０１１９９７号公報
【特許文献２】特開２０１５−１２１８８２号公報
【発明の概要】
【発明が解決しようとする課題】
【０００４】
しかし、特許文献１に記載のような従来技術は、印刷媒体の紙種の検出結果に基づき印刷媒体の紙種を特定するだけであるため、複数の印刷媒体のプロファイル情報の中から特定のものをユーザーに選択させる必要がある。よって、ユーザーにとって手間がかかるため生産性が低下する。また、特許文献２に記載のような従来技術は、印刷媒体に判定用画像を形成し、その判定用画像を測定することにより、複数の印刷媒体のプロファイル情報の中から特定のものを決定する必要がある。よって、生産性が低下するだけでなくコストも増大する。
【０００５】
本開示はこのような状況に鑑みてなされたものであり、生産性を低下させず、且つコストが増大することなく、複数の印刷媒体のプロファイル情報の中から特定のものを選択することができるようにするものである。
【課題を解決するための手段】
【０００６】
本開示の一側面である画像形成装置は、印刷媒体に画像を形成する画像形成装置であって、前記印刷媒体に対応するプロファイル情報と、前記印刷媒体の属性情報とを含む媒体情報が記憶される記憶部と、前記印刷媒体の属性実情報を検知するメディア検知センサーと、を備え、前記媒体情報は、前記印刷媒体に対応するプロファイル情報と、前記印刷媒体の属性情報とが関連付けされ、前記印刷媒体の属性情報には、前記メディア検知センサーにより検知可能な情報が含まれる。
【０００７】
また、前記印刷媒体に画像を形成する場合、前記メディア検知センサーにより検知される前記印刷媒体の属性実情報と、前記記憶部に記憶される前記印刷媒体の属性情報と、に基づき、前記記憶部に記憶される前記媒体情報の中から該当する前記印刷媒体に対応するプロファイル情報を選択する制御部、をさらに備える、ことが好ましい。
【０００８】
また、前記印刷媒体の属性情報は、少なくとも１つの検知項目情報、を含み、前記印刷媒体の属性実情報は、少なくとも１つの検知項目実情報、を含み、前記制御部は、前記印刷媒体の属性実情報に含まれる前記検知項目実情報と一致する前記検知項目情報を含む前記印刷媒体の属性情報が存在する場合、該印刷媒体の属性情報を含む前記媒体情報を選択する、ことが好ましい。
【０００９】
また、前記印刷媒体の属性情報は、少なくとも１つの検知項目情報、を含み、前記印刷媒体の属性実情報は、少なくとも１つの検知項目実情報、を含み、前記制御部は、前記印刷媒体の属性実情報に含まれる前記検知項目実情報と一致する前記検知項目情報を含む前記印刷媒体の属性情報が存在しない場合、前記印刷媒体の属性実情報を前記印刷媒体の属性情報とした新たな前記媒体情報を前記記憶部に記憶させる、ことが好ましい。
【００１０】
また、前記制御部は、選択したプロファイル情報をユーザーに提示し確認させ、選択したプロファイル情報に対応する前記印刷媒体が、ユーザーが使用したいものでない場合、前記印刷媒体の属性実情報を前記印刷媒体の属性情報とした新たな前記媒体情報を前記記憶部に記憶させる、ことが好ましい。
【００１１】
また、前記制御部は、前記印刷媒体の属性実情報に含まれる前記検知項目実情報と一致する前記検知項目情報を含む前記印刷媒体の属性情報が複数存在する場合、前記記憶部に最も新しく記憶された前記印刷媒体の属性情報を含む前記媒体情報を選択する、ことが好ましい。
【００１２】
また、ユーザー設定情報が設定され、前記制御部は、前記印刷媒体の属性実情報に含まれる前記検知項目実情報と一致する前記検知項目情報を含む前記印刷媒体の属性情報が存在するか否かを判定する際、前記印刷媒体の属性実情報に含まれる複数の検知項目実情報のうち、少なくとも１つの検知項目実情報を前記ユーザー設定情報に従い選択し、選択した前記検知項目実情報と一致する前記検知項目情報を含む前記印刷媒体の属性情報が存在するか否かを判定する、ことが好ましい。
【００１３】
また、前記制御部は、前記印刷媒体の属性実情報を前記印刷媒体の属性情報とした新たな前記媒体情報を前記記憶部に記憶させる場合、前記ユーザー設定情報に従い選択された前記少なくとも１つの検知項目実情報と、前記印刷媒体に対応するプロファイル情報とを関連付けさせる、ことが好ましい。
【００１４】
また、前記検知項目実情報を選択するための優先順位の指標として優先度情報が設定され、前記制御部は、前記印刷媒体の属性実情報に含まれる前記検知項目実情報と一致する前記検知項目情報を含む前記印刷媒体の属性情報が存在するか否かを判定する際、前記優先度情報に従い、前記検知項目実情報を選択する、ことが好ましい。
【００１５】
また、前記印刷媒体の属性実情報に含まれる前記検知項目実情報と一致する前記検知項目情報を含む前記印刷媒体の属性情報が存在するか否かを判定するための許容範囲の指標として判定基準情報が設定され、前記制御部は、前記印刷媒体の属性情報に含まれる前記検知項目実情報と一致する前記検知項目情報を含む前記印刷媒体の属性情報が存在するか否かを判定する際、前記検知項目情報と、前記検知項目実情報との差が、前記判定基準情報を満たすか否かを判定する、ことが好ましい。
【００１６】
また、前記制御部は、前記印刷媒体に対応するプロファイル情報の自動検知が有効である場合、前記検知項目情報と、前記検知項目実情報とが一致するか否かを判定する、ことが好ましい。
【００１７】
また、前記印刷媒体に対応するプロファイル情報は、前記印刷媒体に画像を形成するための設定情報を含む、ことが好ましい。
【００１８】
また、前記印刷媒体に対応するプロファイル情報は、前記印刷媒体の仕様及びプロセス条件を含む、ことが好ましい。
【発明の効果】
【００１９】
本開示の一側面によれば、生産性を低下させず、且つコストが増大することなく、複数の印刷媒体のプロファイル情報の中から特定のものを選択することができる。
【図面の簡単な説明】
【００２０】
【図１】本開示の実施形態における画像形成装置１の全体構成例を示す図である。
【図２】本開示の実施形態における媒体情報のデータ構成例を示す図である。
【図３】本開示の実施形態における操作表示部９の基本画面例を示す図である。
【図４】本開示の実施形態における操作表示部９の用紙設定画像例を示す図である。
【図５】本開示の実施形態における印刷媒体を検知後の用紙プロファイルの確認画面例を示す図である。
【図６】本開示の実施形態における用紙プロファイルの新規登録時の用紙プロファイル名設定画面例を示す図である。
【図７】本開示の実施形態における用紙プロファイルの新規登録時の登録完了画面例を示す図である。
【図８】本開示の実施形態における設定メニュー選択画面例を示す図である。
【図９】本開示の実施形態におけるユーザー設定メニューの選択画面例を示す図である。
【図１０】本開示の実施形態における印刷媒体の検知設定の選択画面例を示す図である。
【図１１】本開示の実施形態における印刷媒体の検知設定の設定画面例を示す図である。
【図１２】本開示の実施形態における印刷媒体の検知項目の選択画面例を示す図である。
【図１３】本開示の実施形態における印刷媒体の検知項目の検知範囲設定画面例を示す図である。
【図１４】本開示の実施形態における用紙プロファイルの選択処理を説明するフローチャートである。
【図１５】本開示の実施形態における用紙プロファイルの選択処理で表示される画面例を示す図である。
【図１６】本開示の実施形態における用紙プロファイルの登録処理を説明するフローチャートである。
【発明を実施するための形態】
【００２１】
以下、図面に基づいて本開示の実施形態を説明するが、本開示は以下の実施形態に限られるものではない。なお、本開示の実施形態の説明で使用されているように、「構成する」、「より成る」、「含む」、「含んでいる」、「有する」、「備える」又はそれらの他の何らかの同義語は、非排他的な包含関係をカバーするように意図される。例えば、要素の列挙を含むプロセス、方法、物品又は装置は、それらの要素だけに限定されることは必須でなく、明示的には列挙されていない又は本来備わっているはずの他の要素が、そのようなプロセス、方法、物品又は装置に含まれてもよい。さらに、明示的に言及しない限り、「又は」は包括的なものであり、排他的な和ではない。例えば、「条件Ａ又はＢ」は、Ａが存在し且つＢが存在しない場合、Ａが存在せず且つＢが存在する場合、ＡもＢも両方とも存在する場合の何れの場合でも満たされるものである。
【００２２】
本開示はここで説明される処理を実行する装置にも関連している。その装置は、必要な目的に応じて特別に構築されてもよいし、コンピュータに格納されているコンピュータプログラムによって選択的にアクティブにされる又は再構成される汎用コンピュータで構築されてもよい。
【００２３】
また、ここで説明されるアルゴリズムは、特定のコンピュータその他の装置のどれにも固有に関連するものではない。さまざまな汎用システムがここで教示するものによるプログラムと共に使用されてよく、又は、必要な方法ステップを実行するように、よりいっそう特化した装置を構築することが便利なことが分かるかもしれない。これらさまざまなシステムに必要な構造は以下の説明から明らかになるであろう。さらに、本開示は特定のプログラミング言語のどれにも依存しない。ここで説明される本開示の教示内容を実現するのにさまざまなプログラミング言語が使用されてよいことが分かるであろう。
【００２４】
図１は、本開示の実施形態における画像形成装置１の全体構成例を示す図である。図１に示すように、画像形成装置１は、給紙装置３と、画像形成装置本体５と、後処理装置７とを備える。給紙装置３と、画像形成装置本体５との間には、連通口が設けられ、連通口を介して、給紙装置３から画像形成装置本体５に印刷媒体が給紙される。具体的には、給紙装置３は、画像形成装置１の上流側に配置され、トレイ３１＿１〜３１＿３と、メディア検知センサー３２＿１〜３２＿３とを備える。トレイ３１＿１〜３１＿３の何れかを特に限定しない場合、トレイ３１と称する。給紙装置３は、トレイ３１ごとに印刷媒体が収容され、１枚ごとに印刷媒体を分離して排出する。画像形成装置本体５は、画像形成部５１と、定着部５２とを備え、電子写真プロセス技術により印刷媒体に画像を形成する。なお、画像形成装置本体５の上には、スキャナーと、自動原稿送り装置と、操作表示部９とが設けられている。操作表示部９は、ユーザーの操作を受け付けると共に、ユーザーの操作内容、又は給紙装置３、画像形成装置本体５、若しくは後処理装置７のような機器の内部状態を表示するものである。操作表示部９は、例えば、タッチパネル付き液晶ディスプレイから構成される。後処理装置７は、画像形成装置本体５から供給される画像が形成された印刷媒体に後処理を行うものである。後処理は、例えば、ソーティング等である。
【００２５】
給紙装置３は、トレイ３１＿１にメディア検知センサー３２＿１が設けられ、トレイ３１＿２にメディア検知センサー３２＿２が設けられ、トレイ３１＿３にメディア検知センサー３２＿３が設けられている。よって、メディア検知センサー３２＿１〜３２＿３のそれぞれは、印刷媒体がトレイ３１＿１〜３１＿３にセットされればメディア検知を行うことができる。ここで、メディア検知とは、印刷媒体の属性情報を検知することである。印刷媒体の属性情報とは、印刷媒体の紙種、坪量、紙色、剛度、紙厚、又は白色度等のように、環境に依存せずに印刷媒体を一意に特定できる情報であって、メディア検知センサー３２＿１〜３２＿３で検知可能な検知項目情報が含まれる。なお、メディア検知センサー３２＿１〜３２＿３の何れかを特に限定しない場合、メディア検知センサー３２と称する。
【００２６】
画像形成装置本体５は、搬送経路５９＿１にメディア検知センサー５７＿１が設けられ、搬送経路５９＿２にメディア検知センサー５７＿２が設けられている。よって、メディア検知センサー５７＿１，５７＿２のそれぞれは、印刷媒体が搬送経路５９＿１，５９＿２を搬送されればメディア検知を行うことができる。なお、搬送経路５９＿１，５９＿２を総称する場合、搬送経路５９と称する。また、メディア検知センサー５７＿１，５７＿２を総称する場合、メディア検知センサー５７と称する。
【００２７】
メディア検知センサー３２，５７は、印刷媒体の属性情報を検知することができるものであればよく、例えば、光学式センサーから構成される。メディア検知センサー３２，５７の検知結果は、操作表示部９により確認することができる。操作表示部９は、印刷媒体の属性情報の他に、印刷媒体に対応するプロファイル情報を表示することができる。印刷媒体に対応するプロファイル情報は、ユーザーの意図に応じて印刷媒体に画像を形成するための設定情報であって、印刷媒体の種類、印刷媒体のサイズ、印刷媒体の表裏の倍率差、又は画像形成部５１における２次転写出力調整等若しくは定着部５２における定着速度調整等のようなプロセス調整値を含む。つまり、印刷媒体に対応するプロファイル情報には、印刷媒体の仕様及びプロセス条件が含まれる。また、印刷媒体に対応するプロファイル情報は、トレイ３１ごとに設定されるのが好ましい。例えば、トレイ３１＿１には普通紙が収容され、トレイ３１＿２には塗工紙が収容され、トレイ３１＿３には封筒が収容されていれば、それぞれの印刷媒体に対応するプロファイル情報が設定されることにより、適切な画像形成処理を行うことができる。なお、印刷媒体が、普通紙、塗工紙、又は封筒である一例について説明したが、特にこれらに限定されるものではなく、例えば、長尺紙であってもよい。
【００２８】
図２は、本開示の実施形態における媒体情報のデータ構成例を示す図である。画像形成装置１は、制御部１１及び記憶部１３を備える。制御部１１は、不図示のＣＰＵ、ＲＯＭ、ＲＡＭ、及びＩ／Ｏインターフェースを主体として構成される。制御部１１は、ＣＰＵがＲＯＭ又は記憶部１３から処理内容に応じた各種プログラムを読み出し、ＲＡＭに展開し、展開した各種プログラムと協働することにより、画像形成装置本体５の各部の動作を制御しつつ、判定処理部１１１、選択処理部１１３、又は画像処理部１１４のような各種機能を実現する。つまり、制御部１１は、各種処理を実行するプロセッサとして機能する。
【００２９】
記憶部１３は、例えば、ＨＤＤから構成され、媒体情報、判定基準テーブル１３２、優先順位テーブル１３３、又はユーザー設定テーブル１３４等のように、印刷媒体に画像を高品質に形成するための各種データが記憶される。媒体情報は、印刷媒体に対応するプロファイル情報と、印刷媒体の属性情報とを含むものであって、印刷媒体に対応するプロファイル情報と、印刷媒体の属性情報とが関連付けされている。印刷媒体の属性情報は、少なくとも１つの検知項目情報を含む。検知項目情報は、判定基準テーブル１３２、優先順位テーブル１３３、及びユーザー設定テーブル１３４のそれぞれと関連付けがされている。なお、印刷媒体に対応するプロファイル情報と、印刷媒体の属性情報との関連付けは、例えば、印刷媒体に対応するプロファイル情報をプロファイル情報（ｎ）と設定し、印刷媒体の属性情報を属性情報（ｎ）と設定し、ｎという数字が同一のもの同士が関連付けされていると設定してもよい。例えば、プロファイル情報（１）と、属性情報（１）とが関連付けされているとしてもよく、この場合、媒体情報（ｎ）は媒体情報（１）と設定すればよい。
【００３０】
判定基準テーブル１３２は、記憶部１３に記憶される印刷媒体の属性情報と、メディア検知センサー３２が検知する印刷媒体の属性実情報とが一致するか否かを判定するための許容範囲の指標として判定基準情報が設定される。例えば、記憶部１３に記憶される印刷媒体の属性情報と、メディア検知センサー３２が検知する印刷媒体の属性実情報とが完全一致していなくても、記憶部１３に記憶される印刷媒体の属性情報と、メディア検知センサー３２が検知する印刷媒体の属性実情報との差が一定の許容範囲内であれば、両者は一致していると処理するために、判定基準情報を用いる。判定基準情報は、例えば、操作表示部９を介してユーザーにより設定される情報である。
【００３１】
印刷媒体の属性実情報は、記憶部１３に記憶される印刷媒体の属性情報に対応する情報であって、メディア検知センサー３２により実際に検知される情報である。よって、印刷媒体の属性実情報に含まれる検知項目実情報も、記憶部１３に記憶される印刷媒体の属性情報に含まれる検知項目情報に対応する情報であって、メディア検知センサー３２により実際に検知される情報である。優先順位テーブル１３３は、複数の検知項目情報が存在する場合、少なくとも１つの検知項目情報を選択するための優先順位の指標として優先度情報が設定される。優先度情報は、例えば、操作表示部９を介してユーザーにより設定されればよい。ユーザー設定テーブル１３４は、ユーザー設定情報が設定される。ユーザー設定情報は、操作表示部９を介してユーザーにより設定される情報であって、判定基準テーブル１３２及び優先順位テーブル１３３よりも優先される情報である。
【００３２】
制御部１１は、印刷媒体に画像を形成する場合、メディア検知センサー３２により検知される印刷媒体の属性実情報と、記憶部１３に記憶される印刷媒体の属性情報と、に基づき、記憶部１３に記憶される媒体情報の中から該当する印刷媒体に対応するプロファイル情報を選択する。具体的には、判定処理部１１１は、印刷媒体の属性情報と、印刷媒体の属性実情報とが一致するか否かを判定する。選択処理部１１３は、判定処理部１１１の判定結果に基づき、媒体情報に含まれるプロファイル情報を選択する。画像処理部１１４は、選択処理部１１３の選択結果に基づき、印刷媒体に画像を形成する指令を画像形成部５１及び定着部５２に出力する。
【００３３】
より具体的には、制御部１１は、印刷媒体の属性情報と、印刷媒体の属性実情報とが一致する場合、印刷媒体の属性実情報に一致した印刷媒体の属性情報と関連付けされている印刷媒体に対応するプロファイル情報を選択する。なお、制御部１１は、印刷媒体の属性情報と、印刷媒体の属性実情報とが一致するか否かを判定する際、複数の検知項目情報のうちどの検知項目情報を一致判定に用いるかは以下の４つの処理を適宜実行するが、順不動で実行してもよく、少なくとも何れか１つを実行するだけでもよい。第１の処理の場合、制御部１１は、印刷媒体の属性情報と、印刷媒体の属性実情報とが一致するか否かを判定する際、複数の検知項目情報のうち、少なくとも１つの検知項目情報を優先度情報に従い選択する。第２の処理の場合、制御部１１は、印刷媒体の属性情報と、印刷媒体の属性実情報とが一致するか否かを判定する際、少なくとも１つの検知項目情報と、少なくとも１つの検知項目実情報との差が、判定基準情報を満たすか否かを判定する。第３の処理の場合、制御部１１は、印刷媒体の属性情報と、印刷媒体の属性実情報とが一致するか否かを判定する際、印刷媒体の属性情報に含まれる複数の検知項目情報のうち、少なくとも１つの検知項目情報をユーザー設定情報に従い選択する。第４の処理の場合、制御部１１は、印刷媒体に対応するプロファイル情報を選択する際、記憶部１３に最も新しく記憶させた媒体情報を選択する。
【００３４】
一方、制御部１１は、印刷媒体の属性情報と、印刷媒体の属性実情報とが一致しない場合、印刷媒体の属性実情報を印刷媒体の属性情報とした新たな媒体情報を記憶部１３に記憶させる。また、制御部１１は、印刷媒体の属性実情報と、印刷媒体の属性情報とが一致しているにもかかわらず、一致した印刷媒体の属性情報に関連付けされている印刷媒体に対応するプロファイル情報が、ユーザー設定情報と異なれば、印刷媒体の属性実情報を印刷媒体の属性情報とした新たな媒体情報を記憶部１３に記憶させる。つまり、印刷媒体の属性実情報と一致した印刷媒体の属性情報と関連付けされている印刷媒体に対応するプロファイル情報が、ユーザー設定情報と異なる場合、印刷媒体の属性実情報を印刷媒体の属性情報とした新たな媒体情報を記憶部１３に記憶させる。なお、制御部１１は、印刷媒体の属性実情報を印刷媒体の属性情報とした新たな媒体情報を記憶部１３に記憶させる場合、ユーザー設定情報に従い選択された少なくとも１つの検知項目情報と、印刷媒体に対応するプロファイル情報とを関連付けさせる。また、以上の説明の前提として、制御部１１が、少なくとも１つの検知項目情報と、少なくとも１つの検知項目実情報とが一致するか否かを判定するのは、プロファイル情報の自動検知が有効である場合である。
【００３５】
図３は、本開示の実施形態における操作表示部９の基本画面例を示す図である。図４は、本開示の実施形態における操作表示部９の用紙設定画像例を示す図である。図３に示すように、“機械状態”に関するボタン２０１が操作されると、画像形成装置１の機械状態に関する情報が表示又は設定可能な状態となる。例えば、“用紙設定”に関するボタン２０２が操作されると、図４に示すように、印刷媒体に対応するプロファイル情報を設定するための画面に遷移する。図４においては、“トレイＮｏ．１”に関するボタン２０７が操作され、トレイ３１＿１に収容されている普通紙に対応するプロファイル情報が表示されている。ここでは、プロファイル情報に該当する用紙プロファイルの用紙プロファイル名は“００３  サンプル評価用”となっている。なお、図４の一例では、“閉じる”に関するボタン２０３が操作されることにより用紙設定が確定されるインターフェースとなっている。
【００３６】
図５は、本開示の実施形態における印刷媒体を検知後の用紙プロファイルの確認画面例を示す図である。印刷媒体に対応するプロファイル情報の自動検知が有効である場合、メディア検知センサー３２によるメディア検知で検知された印刷媒体の属性実情報に一致する印刷媒体の属性情報を探す。印刷媒体の属性実情報に一致する印刷媒体の属性情報が検出できた場合、その検出できた印刷媒体の属性情報に関連付けされたプロファイル情報が、図５に示すように表示される。ここで、“閉じる”に関するボタン２０３が操作されれば、印刷媒体に画像を形成するときに使用するプロファイル情報が確定される。印刷媒体の属性実情報に一致する印刷媒体の属性情報が検出できたとしても、ユーザーが別用紙として登録したい場合、図５に示すように、“新規設定”に関するボタン２０４を操作すればよい。
【００３７】
図６は、本開示の実施形態における用紙プロファイルの新規登録時の用紙プロファイル名設定画面例を示す図である。図７は、本開示の実施形態における用紙プロファイルの新規登録時の登録完了画面例を示す図である。図６に示すように、表示スペース３０１には、用紙プロファイル名の入力内容が反映されて表示され、例えば、“００５  新規登録用紙”と入力され、“ＯＫ”に関するボタン２０５が操作されれば図７の画面に遷移し、図７に示すように用紙プロファイル名の表示スペース３０２には“００５  新規登録用紙”が表示される。一方、図６において、“キャンセル”に関するボタン２０６が操作されれば表示スペース３０１の表示内容が消去される。なお、図７に示す内容が最も新しく記憶されるプロファイル情報であれば、今後、メディア検知実行後に優先的に選択される可能性がある。また、複数のプロファイル情報が候補としてあれば、“上三角”に関するボタン２７２又は“下三角”に関するボタン２７１を適宜操作して表示させることができる。また、図７に示すようなプロファイル情報は、ユーザーによる手入力であってもよく、電子ファイルを読み込むものであってもよく、又はＱＲコード（登録商標）のようなものでプロファイル情報が符号化されたものをスマートフォンのようなもので読み込むものであってもよい。
【００３８】
メディア検知センサー３２によるメディア検知に関しても操作表示部９を介して操作及び設定することができる。図８は、本開示の実施形態における設定メニュー選択画面例を示す図である。図９は、本開示の実施形態におけるユーザー設定メニューの選択画面例を示す図である。図１０は、本開示の実施形態における印刷媒体の検知設定の選択画面例を示す図である。図１１は、本開示の実施形態における印刷媒体の検知設定の設定画面例を示す図である。図１２は、本開示の実施形態における印刷媒体の検知項目の選択画面例を示す図である。図１３は、本開示の実施形態における印刷媒体の検知項目の検知範囲設定画面例を示す図である。
【００３９】
図８において、“０２  ユーザー設定”に関するボタン２１０を操作することにより、図９に示す画面に遷移する。図９において、“０８  メディア検知設定”に関するボタン２１８を操作することにより、図１０に示す画面に遷移する。図１０において、“０１  メディア検知設定”に関するボタン２２１が操作されれば、図１１に示す画面に遷移し、“０２  メディア検知項目設定”に関するボタン２２２が操作されれば、図１２に示す画面に遷移する。図１１においては、“あり”に関するボタン２３１が操作されれば、印刷媒体に対応するプロファイル情報の自動検知が有効に設定され、“なし”に関するボタン２３２が操作されれば、印刷媒体に対応するプロファイル情報の自動検知が無効に設定される。
【００４０】
図１２の一例では、メディア検知項目という表示名で検知項目情報が設定されている。例えば、紙厚、剛度、及び白色度が、“紙厚”に関するボタン２４１、“剛度”に関するボタン２４２、及び“白色度”に関するボタン２４３を介して、検知項目情報として列挙されている。また、優先度情報も併せて設定可能に列挙されている。なお、例えば、“次頁”に関するボタン２５１を操作することにより図１３に示す画面に遷移する。図１３の一例では、判定基準情報が設定可能に列挙されている。例えば、“±０．０５ｍｍ”に関するボタン２６１、“±０．１０ｍｍ”に関するボタン２６２、“±０．１５ｍｍ”に関するボタン２６３、及び“±０．２０ｍｍ”に関するボタン２６４が設定可能に列挙されている。ユーザーは、ボタン２６１〜ボタン２６４の何れかを操作することにより、判定基準情報を設定することができる。なお、図１３において、“次頁”に関するボタン２５２が操作されることにより、“紙厚”以外の判定基準情報を設定する画面に遷移させることができる。
【００４１】
図１４は、本開示の実施形態における用紙プロファイルの選択処理を説明するフローチャートである。図１５は、本開示の実施形態における用紙プロファイルの選択処理で表示される画面例を示す図である。なお、図１４の選択処理は、図２の判定処理部１１１の処理と選択処理部１１３の処理とを合わせたものである。また、図１５に示す画面例は、後述するステップＳ１９の処理の際に表示されるものである。ステップＳ１１において、制御部１１は、トレイ３１に用紙がセットされている又は用紙の検知指示があるか否かを判定する。制御部１１は、トレイ３１に用紙がセットされている又は用紙の検知指示があると判定する場合（ステップＳ１１；Ｙ）、ステップＳ１２の処理に移行する。制御部１１は、トレイ３１に用紙がセットされていない又は用紙の検知指示がないと判定する場合（ステップＳ１１；Ｎ）、選択処理を終了する。ステップＳ１２において、制御部１１は、自動検知が有効であるか否かを判定する。制御部１１は、自動検知が有効であると判定する場合（ステップＳ１２；Ｙ）、ステップＳ１３の処理に移行する。制御部１１は、自動検知が無効であると判定する場合（ステップＳ１２；Ｎ）、選択処理を終了する。
【００４２】
ステップＳ１３において、制御部１１は、メディア検知センサー３２により検知項目実情報を検知させる。ステップＳ１４において、制御部１１は、ユーザー設定情報又は優先度情報に従い、媒体情報から検知項目情報を抽出する。ステップＳ１５において、制御部１１は、判定基準情報に基づき検知項目情報と検知項目実情報とが一致するか否かを判定する。制御部１１は、判定基準情報に基づき検知項目情報と検知項目実情報とが一致すると判定する場合（ステップＳ１５；Ｙ）、ステップＳ１６の処理に移行する。制御部１１は、判定基準情報に基づき検知項目情報と検知項目実情報とが一致しないと判定する場合（ステップＳ１５；Ｎ）、ステップＳ２３の処理に移行する。ステップＳ１６において、制御部１１は、一致するものに関連付けされているプロファイル情報を含む媒体情報が複数存在するか否かを判定する。制御部１１は、一致するものに関連付けされているプロファイル情報を含む媒体情報が複数存在すると判定する場合（ステップＳ１６；Ｙ）、ステップＳ１７の処理に移行する。制御部１１は、一致するものに関連付けされているプロファイル情報を含む媒体情報が複数存在しないと判定する場合（ステップＳ１６；Ｎ）、ステップＳ１９の処理に移行する。
【００４３】
ステップＳ１７において、制御部１１は、複数存在する媒体情報に含まれるプロファイル情報のうちユーザーに登録されたものがあるか否かを判定する。制御部１１は、複数存在する媒体情報に含まれるプロファイル情報のうちユーザーに登録されたものがあると判定する場合（ステップＳ１７；Ｙ）、ステップＳ１８の処理に移行する。制御部１１は、複数存在する媒体情報に含まれるプロファイル情報のうちユーザーに登録されたものがないと判定する場合（ステップＳ１７；Ｎ）、ステップＳ２１の処理に移行する。ステップＳ１８において、制御部１１は、最も新しいプロファイル情報を選択し、ステップＳ１９の処理に移行する。ステップＳ１９において、選択されたプロファイル情報に対応する印刷媒体がユーザーが使用したいものであるか否かが判定される。選択されたプロファイル情報に対応する印刷媒体がユーザーが使用したいものであると判定される場合（ステップＳ１９；Ｙ）、ステップＳ２０の処理に移行する。選択されたプロファイル情報に対応する印刷媒体がユーザーが使用したいものでないと判定される場合（ステップＳ１９；Ｎ）、ステップＳ２３の処理に移行する。つまり、ステップＳ１９は、ユーザーが使用したい印刷媒体を検出できたか否かを確認する処理である。具体的には、図１５に示すように、ステップＳ１９においては、選択されたプロファイル情報をユーザーに提示又は表示して、所望のものであるか否かをユーザーに確認する。例えば、所望のものであれば、ユーザーはボタン９１を選び、その旨が制御部１１に伝達され、制御部１１は、ステップＳ２０の処理に移行する。所望のものでなければ、ユーザーはボタン９２を選び、その旨が制御部１１に伝達され、制御部１１は、ステップＳ２３の処理に移行する。また、多くの場合、ユーザーは、所望の印刷媒体が検出されたか否かをプロファイル情報によって判断することができるため、ステップＳ１９においてはプロファイル情報を表示しているが、選択されたプロファイル情報を含む媒体情報を表示するように構成し、又は選択されたプロファイル情報と関連付けされている属性情報を参照できるように構成してもよい。なお、図１５に示すプロファイル情報又は媒体情報は、上記で説明した通りであるので、その詳細についての説明は省略する。
【００４４】
ステップＳ２０において、制御部１１は、プロファイル情報の選択を完了し、選択処理を終了する。ステップＳ２１において、制御部１１は、複数存在する媒体情報に含まれるプロファイル情報を表示させ、ステップＳ２２の処理に移行する。ステップＳ２２において、制御部１１は、プロファイル情報がユーザーにより選択されたか否かを判定する。制御部１１は、プロファイル情報がユーザーにより選択されたと判定する場合（ステップＳ２２；Ｙ）、ステップＳ１９の処理に移行する。制御部１１は、プロファイル情報がユーザーにより選択されないと判定する場合（ステップＳ２２；Ｎ）、ステップＳ２２の処理を繰り返し実行する。ステップＳ２３において、制御部１１は、登録処理を実行してからステップＳ２０の処理に移行する。登録処理については図１６を用いて後述する。
【００４５】
図１６は、本開示の実施形態における用紙プロファイルの登録処理を説明するフローチャートである。ステップＳ４１において、制御部１１は、検知項目実情報を含む属性実情報を新たな属性情報とし、ステップＳ４２の処理に移行する。ステップＳ４２において、制御部１１は、プロファイル情報の入力を受け付け、ステップＳ４３の処理に移行する。ステップＳ４３において、制御部１１は、用紙プロファイル名の設定が確定したか否かを判定する。制御部１１は、用紙プロファイル名の設定が確定したと判定する場合（ステップＳ４３；Ｙ）、ステップＳ４４の処理に移行する。制御部１１は、用紙プロファイル名の設定が確定しないと判定する場合（ステップＳ４３；Ｎ）、ステップＳ４２の処理に戻る。ステップＳ４４において、制御部１１は、用紙プロファイルの設定が確定したか否かを判定する。制御部１１は、用紙プロファイルの設定が確定したと判定する場合（ステップＳ４４；Ｙ）、ステップＳ４５の処理に移行する。制御部１１は、用紙プロファイルの設定が確定しないと判定する場合（ステップＳ４４；Ｎ）、ステップＳ４２の処理に戻る。ステップＳ４５において、制御部１１は、用紙プロファイル名及び用紙プロファイルの設定に基づき、プロファイル情報を確定させ、ステップＳ４６の処理に移行する。ステップＳ４６において、制御部１１は、新たな属性情報と、確定させたプロファイル情報とを関連付けさせたものを新たな媒体情報として記憶させ、登録処理を終了する。
【００４６】
以上の説明から、本実施形態において、印刷媒体に対応するプロファイル情報と、印刷媒体の属性情報とが関連付けされている。よって、メディア検知センサー３２により検知される印刷媒体の属性実情報と、記憶部１３に記憶される印刷媒体の属性情報とから記憶部１３に記憶されるプロファイル情報を導き出すことができる。したがって、生産性を低下させず、且つコストが増大することなく、複数の印刷媒体に対応するプロファイル情報の中から特定のものを選択することができる。
【００４７】
また、本実施形態において、印刷媒体に画像を形成する場合、メディア検知センサー３２により検知される印刷媒体の属性実情報と、記憶部１３に記憶される印刷媒体の属性情報と、に基づき、記憶部１３に記憶される媒体情報の中から該当する印刷媒体に対応するプロファイル情報が選択される。よって、メディア検知センサー３２により検知される印刷媒体の属性実情報からメディア検知センサー３２により検知される印刷媒体に対応するプロファイル情報を導き出すことができる。したがって、生産性を低下させず、且つコストが増大することなく、複数の印刷媒体に対応するプロファイル情報の中から特定のものを選択することができる。
【００４８】
また、本実施形態において、印刷媒体の属性実情報に含まれる検知項目実情報と一致する検知項目情報を含む印刷媒体の属性情報が存在する場合、その印刷媒体の属性情報を含む媒体情報が選択される。つまり、メディア検知センサー３２により検知される印刷媒体の属性実情報に一致する印刷媒体の属性情報が記憶部１３に存在することは、メディア検知センサー３２により検知される印刷媒体に対応するプロファイル情報が存在することと等価である。よって、記憶部１３に存在する媒体情報をそのまま利用することができるため、全体として生産性を向上させることができる。
【００４９】
また、本実施形態において、印刷媒体の属性実情報に含まれる前記検知項目実情報と一致する検知項目情報を含む印刷媒体の属性情報が存在しない場合、印刷媒体の属性実情報を印刷媒体の属性情報とした新たな媒体情報が記憶部１３に記憶される。つまり、メディア検知センサー３２により検知される印刷媒体の属性実情報に一致する印刷媒体の属性情報が記憶部１３に存在しないことは、メディア検知センサー３２により検知される印刷媒体に対応するプロファイル情報が記憶部１３に存在しないことと等価である。しかし、新たな媒体情報が記憶部１３に記憶されるため、次回以降において、同様の印刷媒体を利用する場合に新たな媒体情報を利用することができる。
【００５０】
また、本実施形態において、選択したプロファイル情報に対応する印刷媒体が、ユーザーが使用したいものでない場合、印刷媒体の属性実情報を印刷媒体の属性情報とした新たな媒体情報が記憶部１３に記憶される。よって、新たな媒体情報を記憶部１３に記憶させることができる。具体的には、印刷媒体の属性実情報と、印刷媒体の属性情報とが一致していたとしても、ユーザーが別の媒体情報として登録したい場合、その旨を記憶部１３に登録すれば、新たな媒体情報として登録することができるため、新たな印刷媒体に対応するプロファイル情報を登録することができる。例えば、図５に示すように、“新規設定”に関するボタン２０４を操作することにより新規用紙として、図７に示すように、新たな印刷媒体に対応するプロファイル情報として印刷媒体の種類、印刷媒体のサイズ、又はプロセス調整等を細かく設定することで、ユーザーが希望する設定を新たに登録することができる。
【００５１】
また、本実施形態において、印刷媒体の属性実情報に含まれる検知項目実情報と一致する検知項目情報を含む印刷媒体の属性情報が複数存在する場合、記憶部１３に最も新しく記憶されたものが選択される。よって、印刷媒体の属性実情報と、印刷媒体の属性情報とが一致している媒体情報が複数存在していたとしても、つまり、印刷媒体の属性実情報と一致した印刷媒体の属性情報と関連付けされている印刷媒体に対応するプロファイル情報が複数存在していたとしても、複数の媒体情報の中から最も新しく記憶されたものが選択されるため、直近のものを利用することができ、記憶部１３に記憶されているプロファイル情報のうち、最新のプロファイル情報を画像形成に反映させることができる。
【００５２】
また、本実施形態において、印刷媒体の属性情報に含まれる検知項目実情報と一致する検知項目情報を含む印刷媒体の属性情報が存在するか否かを判定する際、検知項目情報がユーザーにより選択される。よって、メディア検知センサー３２の検知結果のうちどの検知項目情報を用いるかをユーザーにより選択できるため、メディア検知センサー３２で検知できる全ての検知項目実情報と、記憶部１３に記憶される全ての印刷媒体の属性情報とを判定する処理に比べ、判定処理に要する処理コストを低減することができる。
【００５３】
また、本実施形態において、印刷媒体の属性実情報を印刷媒体の属性情報とした新たな媒体情報を記憶部１３に記憶させる場合、ユーザーにより選択される検知項目実情報と、印刷媒体に対応するプロファイル情報とが関連付けされる。よって、必要な検知項目実情報だけを含む属性実情報と、その属性実情報に関連付けされるプロファイル情報とを含む媒体情報を形成することができるため、媒体情報をユーザー指向でカスタマイズすることができる。
【００５４】
また、本実施形態において、印刷媒体の属性情報に含まれる検知項目実情報と一致する検知項目情報を含む印刷媒体の属性情報が存在するか否かを判定する際、優先度情報に従い、少なくとも１つの検知項目情報が選択される。よって、優先順位の高い検知項目情報から順次判定を実行することができる。したがって、印刷媒体の属性情報と、印刷媒体の属性実情報との判定処理を効率よく実施することができる。例えば、優先順位が１番の検知項目情報が一致しなければ、他の検知項目情報の一致判定を省略してもよく、優先順位が２番以降の検知項目情報の一致判定を順に行ってもよい。このように、優先順位に従い、判定処理の一部を適宜変更することができ、画像形成装置１の運用を柔軟に行うことができる。
【００５５】
また、本実施形態において、印刷媒体の属性情報に含まれる検知項目実情報と一致する検知項目情報を含む印刷媒体の属性情報が存在するか否かを判定する際、検知項目情報と、検知項目実情報との差が、判定基準情報を満たすか否かが判定される。よって、ある程度の許容範囲を満たすか否かが判定されるため、判定基準情報を適宜調整することにより、一致判定の精度を変更させることができる。したがって、高い一致精度が要求されるものであれば、判定基準情報をきびしいものに設定し、高い一致精度が要求されないものであれば、判定基準情報をゆるめのものに設定することができるので、使用状況に応じて印刷媒体に対応するプロファイル情報の選択肢を適宜調整することができる。
【００５６】
また、本実施形態において、印刷媒体に対応するプロファイル情報の自動検知が有効である場合、検知項目情報と、検知項目実情報とが一致するか否かが判定される。よって、メディア検知センサー３２による自動検知が設定されていれば、ユーザーは特段操作をすることなく印刷媒体に対応するプロファイル情報の選択処理又は登録処理が実行されるため、ユーザーの手間を大幅に低減することができ、印刷媒体に画像を形成する処理の生産性を向上させることができる。
【００５７】
また、本実施形態において、印刷媒体に対応するプロファイル情報は、印刷媒体に画像を形成するための設定情報である。よって、印刷媒体に適した設定により印刷媒体に画像を形成することができる。
【００５８】
また、本実施形態において、印刷媒体に対応するプロファイル情報は、印刷媒体の仕様及びプロセス条件を含む。よって、印刷媒体に特に顕著に適した設定により印刷媒体に画像を形成することができる。
【００５９】
以上、本開示の一側面である画像形成装置１を実施形態に基づいて説明したが、本開示はこれに限定されるものではなく、本開示の趣旨を逸脱しない範囲で、変更を加えてもよい。例えば、給紙装置３が１台だけ画像形成装置本体５の上流側に配置される一例について説明したが、特にこれに限定されるものではない。例えば、複数台の給紙装置３が画像形成装置本体５の上流側に配置されてもよい。これにより、印刷媒体の選択肢を増やすことができる。
【００６０】
また、例えば、記憶部１３がＨＤＤから構成される一例について説明したが、特にこれに限定されるものではない。例えば、光ディスク、ＩＣカード、光カード、マスクＲＯＭ、ＥＰＲＯＭ（Ｅｒａｓａｂｌｅ  Ｄｉｓｃ）、及びＥＥＰＲＯＭ（Ｅｌｅｃｔｒｉｃａｌｌｙ  ＥＰＲＯＭ）等のような半導体メモリであってもよい。これにより、記憶部１３を小型化することができる。
【００６１】
また、画像形成装置１が制御部１１及び記憶部１３を備える一例について説明したが、制御部１１及び記憶部１３は、画像形成装置１に含まれていればよい。よって、制御部１１及び記憶部１３のそれぞれは、給紙装置３、画像形成装置本体５、及び後処理装置７の何れに含まれていてもよい。
【００６２】
また、メディア検知センサー３２の検知結果に基づく処理について説明したが、特にこれに限定されるものではない。例えば、メディア検知センサー５７の検知結果に基づく処理であってもよい。この場合、印刷媒体が搬送経路５９を搬送されることによりメディア検知の処理に移行させればよい。また、メディア検知センサー３２の検知結果と、メディア検知センサー５７の検知結果との両方に基づく処理であってもよい。この場合、メディア検知センサー３２の検知結果と、メディア検知センサー５７の検知結果とに重み付けを設定し、何れのものをどれだけ採用するかを適宜変更してもよい。これにより、例えば、スケジューリング管理された印刷において、画像形成装置１の機械状態に応じて、適宜使用するセンサーを変更することもできる。
【００６３】
また、印刷媒体に対応するプロファイル情報が選択される際、記憶部１３に最も新しく記憶されたものが選択される処理の一例について説明したが、特にこれに限定されるものではない。例えば、印刷媒体に対応するプロファイル情報が選択される際、最も使用頻度の高いものが選択される処理であってもよい。最も使用頻度の高いものが印刷媒体に対応するプロファイル情報として選択されることにより、画像が形成された印刷媒体は、他のユーザーによる出力結果と同等のものとなり、仕上がり具合を想定でき、意図しない仕上がり具合によって引き起こされるやり直し等による時間及び資源の損失を回避することができる。
【００６４】
また、判定基準情報を列挙したものから選択するインターフェースについて説明したが、特にこれに限定されるものではない。例えば、ユーザーが手入力により許容範囲を設定してもよい。
【００６５】
なお、上記で説明した一連の処理は、ハードウェアにより実行させることもでき、ソフトウェアにより実行させることもできる。一連の処理をソフトウェアにより実行させる場合は、そのソフトウェアを構成するプログラムが、各種のプログラムをインストールすることで、各種の機能を実行することが可能なコンピュータに、プログラムを記録する記録媒体から、又は、インターネット等を介して、インストールされるものである。
【符号の説明】
【００６６】
１  画像形成装置、３  給紙装置、５  画像形成装置本体、７  後処理装置
９  操作表示部、９１，９２  ボタン
１１  制御部、１１１  判定処理部、１１３  選択処理部
１１４  画像処理部、３１，３１＿１〜３１＿３  トレイ
３２，３２＿１〜３２＿３，５７，５７＿１，５７＿２  メディア検知センサー
５１  画像形成部、５２  定着部、５９，５９＿１，５９＿２  搬送経路
１３  記憶部、１３２  判定基準テーブル、１３３  優先順位テーブル
１３４  ユーザー設定テーブル
２０１〜２０７，２１０，２１８，２２１，２２２，２３１，２３２  ボタン
２４１〜２４３，２５１，２５２，２６１〜２６４，２７１，２７２  ボタン
３０１，３０２  表示スペース
【図１】
2019055554.tif 000003
【図２】
2019055554.tif 000004
【図３】
2019055554.tif 000005
【図４】
2019055554.tif 000006
【図５】
2019055554.tif 000007
【図６】
2019055554.tif 000008
【図７】
2019055554.tif 000009
【図８】
2019055554.tif 000010
【図９】
2019055554.tif 000011
【図１０】
2019055554.tif 000012
【図１１】
2019055554.tif 000013
【図１２】
2019055554.tif 000014
【図１３】
2019055554.tif 000015
【図１４】
2019055554.tif 000016
【図１５】
2019055554.tif 000017
【図１６】
2019055554.tif 000018